(57)【要約】本開示の実施例は端末の技術分野に関し、特に移動端末に関する。前記移動端末は表示パネル、第一の位相遅延器、分光素子及び少なくとも一つの光センサーを備え、第一の位相遅延器が表示パネルと分光素子の間に位置し、少なくとも一つの光センサーがそれぞれ分光素子と対向して設置され、環境光及び表示パネルから発された光を受けるように構成され、表示パネルを通過する環境光と表示パネルから発された光が第一の位相遅延器と分光素子を順次通過する。【選択図】図２
2020527222.tif 000002
【特許請求の範囲】
【請求項１】
移動端末であって、表示パネル、第一の位相遅延器、分光素子及び少なくとも一つの光センサーを備え、
前記第一の位相遅延器が前記表示パネルと前記分光素子の間に位置し、
前記少なくとも一つの光センサーがそれぞれ前記分光素子と対向して設置され、環境光及び前記表示パネルから発された光を受けるように構成され、前記表示パネルを通過する前記環境光と前記表示パネルから発された光が前記第一の位相遅延器と前記分光素子を順次通過する、前記移動端末。
【請求項２】
前記少なくとも一つの光センサーは２つの光センサーを含むことを特徴とする
請求項１に記載の移動端末。
【請求項３】
前記分光素子は第一の側面を含み、
前記第一の側面が前記第一の位相遅延器の第一の側面と対向する側面に平行しており、前記環境光及び前記表示パネルから発された光を分光素子に垂直に入射させることを特徴とする
請求項２に記載の移動端末。
【請求項４】
前記分光素子は偏光ビームスプリッタープリズムであることを特徴とする
請求項３に記載の移動端末。
【請求項５】
前記偏光ビームスプリッタープリズムはさらに第二の側面と第三の側面を含み、
前記第二の側面が前記第一の側面と対向し且つ平行しており、前記第二の側面が前記第三の側面に隣接し且つ相互に垂直しており、
一つの光センサーが前記第二の側面と対向して設置され、もう一つの光センサーが前記第三の側面と対向して設置されることを特徴とする
請求項４に記載の移動端末。
【請求項６】
前記分光素子は横変位偏光ビームスプリッタープリズムであることを特徴とする
請求項３に記載の移動端末。
【請求項７】
前記横変位偏光ビームスプリッタープリズムはさらに第四の側面と第五の側面を含み、
前記第四の側面が前記第一の側面と対向し且つ平行しており、前記第四の側面が第五の側面に隣接し、前記第四の側面と前記第五の側面の間の角度が鋭角であり、前記第四の側面が第一のエリアと第二のエリアを含み、前記第一のエリアが前記第一の側面と対向し、前記第二のエリアが前記第五の側面の一側に位置し、
一つの光センサーが前記第一のエリアと対向し、もう一つの光センサーが前記第二のエリアと対向することを特徴とする
請求項６に記載の移動端末。
【請求項８】
前記分光素子は偏光ビームスプリッタープレートであり、
前記偏光ビームスプリッタープレートが前記第一の位相遅延器の前記偏光ビームスプリッタープレートと対向する側面に対して斜めに設置され、前記環境光及び前記表示パネルから発された光を前記偏光ビームスプリッタープレートに斜めに入射させることを特徴とする
請求項１に記載の移動端末。
【請求項９】
前記第一の位相遅延器は四分の一の波長板であることを特徴とする
請求項１に記載の移動端末。
【請求項１０】
前記移動端末はさらに円偏光板を備え、
前記円偏光板は前記表示パネルの前記第一の位相遅延器から遠い側に位置し、前記環境光を円偏光に変換するように構成されることを特徴とする
請求項１に記載の移動端末。
【請求項１１】
前記円偏光板は偏光子と第二の位相遅延器を含み、
前記第二の位相遅延器が前記偏光子と前記表示パネルの間に位置することを特徴とする
請求項１０に記載の移動端末。
【請求項１２】
前記偏光子は偏光板であり、前記第二の位相遅延器は四分の一の波長板であることを特徴とする
請求項１１に記載の移動端末。
【請求項１３】
前記移動端末はさらに環境光検出回路を備え、
前記少なくとも一つの光センサーの受けられた前記環境光及び前記表示パネルから発された光に基づいて前記環境光の強度を取得することができるように、前記環境光検出回路は、前記少なくとも一つの光センサーに電気的に接続されることを特徴とする
請求項１に記載の移動端末。
【請求項１４】
さらにシステムオンチップ（ＳＯＣ）を備え、
前記少なくとも一つの光センサーの受けられた前記環境光及び前記表示パネルから発された光に基づいて前記環境光の強度を取得することができるように、前記システムオンチップは、前記少なくとも一つの光センサーに電気的に接続されることを特徴とする
請求項１に記載の移動端末。
【発明の詳細な説明】
【技術分野】
【０００１】
関連出願への相互参照
本出願は出願番号が２０１８１０６５０２７０．５であり、出願日が２０１８年６月２２日である中国特許出願に基づいて提出され、該中国特許出願の先行出願優先権を主張し、該中国特許出願の全ての内容は参照により本明細書に組み込まれる。
【０００２】
本開示の実施例は端末の技術分野に関し、特に移動端末に関する。
【背景技術】
【０００３】
移動端末には、一般的に環境光センサーが設置される。環境光センサーは通常移動端末のガラスカバーの下方に設置され、環境光の強度を検出して表示画面の輝度を調整するように構成される。しかしながら、移動端末がフルスクリーンの方向に向かって発展するにつれ、ガラスカバーの下方のスペースが狭くなり、環境光センサーが依存としてガラスカバーの下方に配置される場合、移動端末がフルスクリーンに向かう支障になる。
【０００４】
関連技術において、移動端末のスクリーンの比率を高めるために、移動端末の表示パネルの下方に２つの光センサーが設置され、一つの光センサーが表示パネルから発された光の光強度を検出するように構成され、もう一つの光センサーが表示パネルから発された光と環境光との混合光の強度を検出するように構成され、その後両者の検出結果に基づいて環境光の強度を取得する。しかしながら、該技術案の環境光に対する検出結果が正確ではない。したがって、どのように環境光の検出精度を向上させるかは解決すべき技術的問題である。
【発明の概要】
【発明が解決しようとする課題】
【０００５】
関連技術の問題を克服するために、本開示の実施例は環境光の検出精度を向上させるために、移動端末を提供する。
【課題を解決するための手段】
【０００６】
本開示の実施例の第一の態様による移動端末は、表示パネル、第一の位相遅延器、分光素子及び少なくとも一つの光センサーを備え、
前記第一の位相遅延器が前記表示パネルと前記分光素子の間に位置し、
前記少なくとも一つの光センサーがそれぞれ前記分光素子と対向して設置され、環境光及び前記表示パネルから発された光を受けるように構成され、前記表示パネルを通過する前記環境光と前記表示パネルから発された光が前記第一の位相遅延器と前記分光素子を順次通過する。
【０００７】
一つの実施例では、前記少なくとも一つの光センサーは２つの光センサーを含むことができる。
【０００８】
一つの実施例では、前記分光素子は第一の側面を含むことができ、前記第一の側面が前記第一の位相遅延器の第一の側面と対向する側面に平行しており、前記環境光及び前記表示パネルから発された光を分光素子に垂直に入射させる。
【０００９】
一つの実施例では、前記分光素子は偏光ビームスプリッタープリズムであってもよい。
【００１０】
一つの実施例では、前記偏光ビームスプリッタープリズムは第二の側面と第三の側面を含むことができ、前記第二の側面が前記第一の側面と対向し且つ平行しており、前記第二の側面が前記第三の側面に隣接し且つ相互に垂直しており、
一つの光センサーが前記第二の側面と対向して設置され、もう一つの光センサーが前記第三の側面と対向して設置される。
【００１１】
一つの実施例では、前記分光素子は横変位偏光ビームスプリッタープリズムであってもい。
【００１２】
一つの実施例では、前記横変位偏光ビームスプリッタープリズムは第四の側面と第五の側面を含むことができ、前記第四の側面が前記第一の側面と対向し且つ平行しており、前記第四の側面が第五の側面に隣接し、前記第四の側面と前記第五の側面の間の角度が鋭角であり、前記第四の側面が第一のエリアと第二のエリアを含み、前記第一のエリアが前記第一の側面と対向し、前記第二のエリアが前記第五の側面の一側に位置し、
一つの光センサーが前記第一のエリアと対向し、もう一つの光センサーが前記第二のエリアと対向する。
【００１３】
一つの実施例では、前記分光素子は偏光ビームスプリッタープレートであってもよく、
偏光ビームスプリッタープレートは前記第一の位相遅延器の前記偏光ビームスプリッタープレートと対向する側面に対して斜めに設置され、前記環境光及び前記表示パネルから発された光を前記偏光ビームスプリッタープレートに斜めに入射させる。
【００１４】
一つの実施例では、前記第一の位相遅延器は四分の一の波長板であってもよい。
【００１５】
一つの実施例では、さらに円偏光板を備えることができ、前記円偏光板は前記表示パネルの前記第一の位相遅延器から遠い側に位置し、前記環境光を円偏光に変換するように構成される。
【００１６】
一つの実施例では、前記円偏光板は平行偏光子と第二の位相遅延器を含むことができ、前記第二の位相遅延器が前記偏光子と前記表示パネルの間に位置する。
【００１７】
一つの実施例では、前記偏光子は偏光板であってもよく、前記第二の位相遅延器は四分の一の波長板であってもよい。
【００１８】
一つの実施例では、さらに環境光検出回路を備えることができ、前記環境光検出回路は、前記少なくとも一つの光センサーの受けられた前記環境光及び前記表示パネルから発された光に基づいて前記環境光の強度を取得することができるように、前記少なくとも一つの光センサーに電気的に接続される。
【００１９】
一つの実施例では、さらにシステムオンチップ（ＳＯＣ）を備えることができ、前記システムオンチップは、前記少なくとも一つの光センサーの受けられた前記環境光及び前記表示パネルから発された光に基づいて前記環境光の強度を取得することができるように、前記少なくとも一つの光センサーに電気的に接続される。
【００２０】
本開示の実施例による技術的解決策は、移動端末が表示パネル、第一の位相遅延器、分光素子及び少なくとも一つの光センサーを備え、第一の位相遅延器が表示パネルと分光素子の間に位置し、少なくとも一つの光センサーがそれぞれ分光素子と対向して設置され、環境光及び表示パネルから発された光を受けるように構成され、環境光の検出精度を向上させるために、表示パネルを通過する環境光と表示パネルから発された光が第一の位相遅延器と分光素子を順次通過するという有益な効果を含むことができる。
【００２１】
いくつかの本開示の実施例では、表示パネルから発された光を第一の位相遅延器により円偏光に変換し、その後、表示パネルから発された光を表示パネルにより分解して偏光方向が相互に垂直している２本の直線偏光を取得し、ここで、該２本の直線偏光の伝播パスが異なり、このようにして２本の直線偏光をそれぞれ検出することができる。表示パネルを通過する環境光と第一の位相遅延器及び分光素子を順次通過できる環境光は光センサーに受けられる。分光素子が特定の入射角の入射光に対して分光機能を実現することができ、他の入射角の入射光に対して分光機能を実現することができないため、本開示の実施例による技術的解決策は表示パネルの同一の表示エリアから発された光を分解し、それぞれ検出し、表示パネルの表示内容の影響を排除し、環境光の検出精度を向上させることができる。
【００２２】
理解すべきものとして、以上の一般的な説明及び以下の詳細な説明は、例示的かつ説明的なものだけであり、本開示の実施例を限定することができない。
【図面の簡単な説明】
【００２３】
【図１】一つの例示的な実施例による移動端末の構造図である。
【図２】一つの例示的な実施例による移動端末の断面図である。
【図３】別の例示的な実施例による移動端末の断面図である。
【発明を実施するための形態】
【００２４】
ここでの図面は本明細書に組み込まれてその一部を構成し、本開示に該当する実施例を示し、そして明細書と共に本開示の実施例の原理を解釈することに用いられる。
【００２５】
ここで例示的な実施例を詳細に説明し、その例が図面に示される。以下の説明が図面に関する場合、特に明記しない限り、異なる図面における同じ数字が同一又は類似の要素を指す。以下の例示的な実施例に記載される実施形態は本開示の実施形態と一致する全ての実施形態を表すものではない。逆に、それらは、添付の特許請求の範囲に詳細に説明される、本開示の実施例のいくつかの態様と一致する装置及び方法の例だけである。
【００２６】
図１は一つの例示的な実施例による移動端末１００の構造図である。移動端末１００は筐体１８、透明なガラスカバー１７及びガラスカバー１７の下方に位置する表示パネル１２を備える。ここで、表示パネル１２は前記筐体１８内に位置する。表示パネル１２から発された光は透明なガラスカバー１７を透過することができる。表示パネル１２は透明なガラスカバー１７を通して見られることができる。表示パネル１２は例えばＯＬＥＤ表示パネルであってもよいが、これに限定されない。
【００２７】
図２は一つの例示的な実施例による移動端末装置の断面図である。図２に示すように、本開示の実施例の移動端末１００はさらに第一の位相遅延器１３、分光素子１４及び少なくとも一つの光センサー１５、１６を備える。
【００２８】
図２に示すように、前記第一の位相遅延器１３は前記表示パネル１２と前記分光素子１４の間に位置する。前記少なくとも一つの光センサー１５、１６はそれぞれ前記分光素子１４と対向して設置され、環境光Ａ１及び前記表示パネル１２から送信された光Ｏ１を受けるように構成され、前記表示パネル１２を通過する前記環境光Ａ１と前記表示パネル１２から発された光Ｏ１が前記第一の位相遅延器１３と前記分光素子１４を順次通過する。
【００２９】
本実施例では、表示パネル１２から発された光Ｏ１を第一の位相遅延器１３により円偏光に変換し、その後、表示パネル１２から発された光Ｏ１を分光素子１４により分解して偏光方向が相互に垂直している２本の直線偏光を取得し、ここで、該２本の直線偏光の伝播パスが異なり、このようにして２本の直線偏光をそれぞれ検出することができる。表示パネル１２を通過する環境光Ａ１と第一の位相遅延器１３及び分光素子１４を順次通過できる環境光Ａ１が光センサー１５、１６に受けられる。分光素子１４が特定の入射角の入射光に対して分光機能を実現することができ、他の入射角の入射光に対して分光機能を実現することができないため、本開示の実施例による技術的解決策は表示パネル１２の同一の表示エリアから発された光Ｏ１を分解し、それぞれ検出し、表示パネル１２の表示内容の影響を排除し、環境光Ａ１の検出精度を向上させることができる。
【００３０】
図２に示すように、一つの実施例では、ガラスカバー１７は表示パネル１２の前記第一の位相遅延器１３から遠い側に位置する。
【００３１】
図２に示すように、一つの実施例では、移動端末１００はさらに円偏光板１１を備えることができる。前記円偏光板１１は前記表示パネル１２の前記第一の位相遅延器１３から遠い側に位置し、前記環境光Ａ１を第一の円偏光Ａ２に変換するように構成される。一つの実施例では、円偏光板１１はガラスカバー１７と表示パネル１２の間に位置する。
【００３２】
図２に示すように、一つの実施例では、前記円偏光板１１は偏光子１１１と第二の位相遅延器１１２を備えることができ、前記偏光子１１１は偏光板であってもよく、前記第二の位相遅延器１１２は四分の一の波長板であってもよい。前記環境光Ａ１が前記偏光子１１１と前記表示パネル１１２を順次通過して前記第一の円偏光Ａ２に変換されるように、前記第二の位相遅延器１１２は、前記偏光子１１１と前記表示パネル１２の間に位置する。具体的には、環境光Ａ１は前記偏光子１１１を通過して第四の直線偏光Ａ４に変換される。ここで、第四の直線偏光Ａ４の偏光方向は環境光Ａ１が偏光子１１１に入射する入射面に垂直してもよいし、環境光Ａ１が偏光子１１１に入射する入射面に平行であってもよい。図２に示す第四の直線偏光Ａ４の偏光方向は環境光Ａ１が偏光子１１１に入射する入射面に垂直してもよい。本開示の実施例では、第四の直線偏光Ａ４の偏光方向が、環境光Ａ１が偏光子１１１に入射する入射面に垂直していることを例として説明する。第四の直線偏光Ａ４は第二の位相遅延器１１２を通過して第一の円偏光Ａ２に変換され、第一の円偏光Ａ２が表示パネル１２を透過し、後の環境光Ａ１の強度検出に用いられてもよい。
【００３３】
一つの実施例では、前記第一の位相遅延器１３は前記表示パネル１２を透過する前記第一の円偏光Ａ２を第一の直線偏光Ａ３に変換し、そして前記表示パネル１２から発された光Ｏ１を第二の円偏光Ｏ２に変換するように構成される。
【００３４】
一つの実施例では、前記第一の位相遅延器１３は四分の一の波長板であってもよい。表示パネル１２から発された光Ｏ１は非偏光の自然光であってもよい。表示パネル１２から発された光Ｏ１は第一の位相遅延器１３を通過して第二の円偏光Ｏ２に変換されてもよい。ここで、第二の円偏光Ｏ２は左回り円偏光と右回り円偏光を含むことができる。第一の円偏光Ａ２は第一の位相遅延器１３を通過して第一の直線偏光Ａ３に変換されてもよい。第一の直線偏光Ａ３の偏光方向は前記第四の直線偏光Ａ４の偏光方向に相互に垂直してもよい。ここで、第四の直線偏光Ａ４の偏光方向が、環境光Ａ１が偏光子１１１に入射する入射面に垂直している場合、第一の直線偏光Ａ３の偏光方向は第一の円偏光Ａ２が第一の位相遅延器１３に入射する入射面に平行である。第四の直線偏光Ａ４の偏光方向が環境光Ａ１が偏光子１１１に入射する入射面に平行である場合、第一の円偏光Ａ３の偏光方向は第一の円偏光Ａ２が第一の位相遅延器１３に入射する入射面に垂直している。本実施例では、図２に示す第一の円偏光Ａ３の偏光方向が、第一の円偏光Ａ２が第一の位相遅延器１３に入射する入射面に平行であることを例として説明する。
【００３５】
一つの実施例では、前記分光素子１４は前記第一の直線偏光Ａ３を透過させ、そして前記第二の円偏光Ｏ２を分解して第二の直線偏光Ｏ３と第三の直線偏光Ｏ４を取得するように構成される。ここで、前記第二の直線偏光Ｏ３と前記第一の直線偏光Ａ３の伝播パスが異なり、前記第三の直線偏光Ｏ４と前記第二の直線偏光Ｏ３の伝播パスが異なる。前記少なくとも一つの光センサー１５、１６は前記第一の直線偏光Ａ３と前記第二の直線偏光Ｏ３の混合光の第一の強度を検出し、そして前記第三の直線偏光Ｏ４の第二の強度を検出し、前記第一の強度と前記第二の強度に基づいて前記環境光Ａ１の強度を取得するように構成される。第三の直線偏光Ｏ４の第二の強度と第二の直線偏光Ｏ３の強度が関連関係を有するため、第二の強度に基づいて第二の直線偏光Ｏ３の強度を取得することができ、さらに第一の強度と第二の直線偏光Ｏ３の強度に基づいて第一の直線偏光Ａ３の強度を取得することができる。その後、第一の直線偏光Ａ３の強度と環境光Ａ１の強度との関連関係に応じて環境光Ａ１の強度を取得することができる。本開示の実施例による技術的解決策は表示パネル１２の同一の表示エリアから発された光Ｏ１を分解し、それぞれ検出し、表示パネル１２の表示内容の影響を排除し、環境光Ａ１の検出精度を向上させることができる。且つ、環境光Ａ１を検出するように構成された光センサー１５、１６を表示パネル１２の下方のクリアスペースに配置することにより、端末装置の画面比率を向上させることができる。
【００３６】
図２に示すように、一つの実施例では、分光素子１４は偏光ビームスプリッタープリズムであってもよい。前記偏光ビームスプリッタープリズムは第一の側面Ｓ１、第二の側面Ｓ２と第三の側面Ｓ３を含む。前記第一の側面Ｓ１は前記第一の位相遅延器１３の第一の側面Ｓ１と対向する側面に平行しており、前記第一の直線偏光Ａ３と前記第二の円偏光Ｏ２を偏光ビームスプリッタープリズムに垂直に入射させ、ここで、第一の直線偏光Ａ３と前記第二の円偏光Ｏ２の入射角がブリュースター角であってもよい。前記第二の側面Ｓ２が前記第一の側面Ｓ１と対向し且つ平行しており、前記第二の側面Ｓ２が前記第三の側面Ｓ３に隣接し且つ相互に垂直している。偏光ビームスプリッタープリズムは前記第一の直線偏光Ａ３の透過を許可し、そして第二の円偏光Ｏ２を第二の直線偏光Ｏ３と第三の直線偏光Ｏ４に分解する。本実施例では、前記第一の直線偏光Ａ３の偏光方向、前記第二の直線偏光Ｏ３の偏光方向はそれぞれ前記偏光ビームスプリッタープリズムに入射する入射面に平行しており、前記第三の偏光Ｏ４の偏光方向は該入射面に垂直している。前記第一の直線偏光Ａ３と前記第二の直線偏光Ｏ３は前記第二の側面Ｓ２から発され、前記第三の直線偏光Ｏ４は前記第三の側面Ｓ３から発される。説明すべきものとして、本開示の実施例では、全ての入射面は相互に平行であってもよい。
【００３７】
一つの実施例では、上記の少なくとも一つの光センサー１５、１６は第一の光センサー１５と第二の光センサー１６を含む。前記第一の光センサー１５は前記第一の直線偏光Ａ３と前記第二の直線偏光Ｏ３の伝播パスに位置し、前記第一の直線偏光Ａ３と前記第二の直線偏光Ｏ３の混合光の第一の強度を検出するように構成される。前記第二の光センサー１６は前記第三の偏光Ｏ４の伝播パスに位置し、前記第三の直線偏光Ｏ４の第二の強度を検出するように構成される。
【００３８】
図２に示すように、一つの実施例では、第一の直線偏光Ａ３の偏光方向が、前記第一の直線偏光Ａ３が前記分光素子１４に入射する入射面に平行しており、前記第一の直線偏光Ａ３と前記第二の直線偏光Ｏ３が前記第二の側面Ｓ２から発され、前記第三の直線偏光Ｏ４が前記第三の側面Ｓ３から発される場合、前記第一の光センサー１５は前記第二の側面Ｓ２と対向して設定され、前記第二の光センサー１６は前記第三の側面Ｓ３と対向して設置される。
【００３９】
別の実施例では、前記第一の直線偏光Ａ３の偏光方向、前記第二の直線偏光Ｏ３の偏光方向はそれぞれ前記偏光ビームスプリッタープリズムに入射する入射面に垂直しており、前記第三の直線偏光Ｏ４の偏光方向は該入射面に平行である。本実施例では、前記第一の直線偏光Ａ３と前記第二の直線偏光Ｏ３は前記第三の側面Ｓ３から発され、前記第三の直線偏光Ｏ４は前記第二の側面Ｓ２から発される。前記第一の光センサー１５は前記第三の側面Ｓ３と対向して設置され、前記第二の光センサー１６は前記第二の側面Ｓ２と対向して設置される。
【００４０】
説明すべきものして、上記の左回り円偏光は分光素子１４を通過して第二の直線偏光Ｏ３と第三の直線偏光Ｏ４に分解されてもよく、右回り偏光は分光素子１４を通過して第二の直線偏光Ｏ３と第三の直線偏光Ｏ４に分解されてもよい。
【００４１】
図３に示すように、別の実施例では、分光素子１４は横変位偏光ビームスプリッタープリズムであってもよい。前記横変位偏光ビームスプリッタープリズムは第一の側面Ｓ１、第四の側面Ｓ４と第五の側面Ｓ５を含む。前記第一の側面Ｓ１は前記第一の位相遅延器１３の第一の側面Ｓ１と対向する側面に平行しており、前記第一の直線偏光Ａ３と前記第二の円偏光Ｏ２を偏光ビームスプリッタープリズムに垂直に入射させ、ここで、第一の直線偏光Ａ３と前記第二の円偏光Ｏ２の入射角がブリュースター角であってもよい。前記第四の側面Ｓ４は前記第一の側面Ｓ１と対向し且つ平行しており、前記第四の側面Ｓ４は前記第五の側面Ｓ５に隣接し、前記第四の側面Ｓ４と前記第五の側面Ｓ５の間の角度が鋭角であり、該角度は具体的な状況に応じて設定されてもよい。前記第四の側面Ｓ４は第一のエリアＱ１と第二のエリアＱ２を含み、前記第一のエリアＱ１が前記第一の側面Ｓ１と対向し、前記第二のエリアＱ２が前記第五の側面Ｓ５の一側に位置する。本実施例では、前記第一の直線偏光Ａ３の偏光方向、前記第二の直線偏光Ｏ３の偏光方向はそれぞれ前記偏光ビームスプリッタープリズムに入射する入射面に平行しており、前記第三の直線偏光Ａ４の偏光方向は該入射面に垂直している。前記第一の直線偏光Ａ３と前記第二の直線偏光Ｏ３は前記第一のエリアＱ１から発され、発する方向が第四の側面Ｓ４に垂直してもよい。前記第三の直線偏光Ｏ４は前記第五の側面Ｓ５によって反射されて前記第二のエリアＱ２から発され、発する方向も第四の側面Ｓ４に垂直してもよい。本実施例では、前記第一の光センサー１５は前記第一のエリアＱ１と対向して設置され、前記第二の光センサー１６は前記第二のエリアＱ２と対向して設置される。
【００４２】
別の実施例では、前記第一の直線偏光Ａ３の偏光方向、前記第二の直線偏光Ｏ３の偏光方向はそれぞれ前記偏光ビームスプリッタープリズムに入射する入射面に垂直しており、前記第三の直線偏光Ｏ４の偏光方向は該入射面に平行である。本実施例では、前記第一の直線偏光Ａ３と前記第二の直線偏光Ｏ３は前記第五の側面Ｓ５によって反射されて前記第二のエリアＱ２から発され、前記第三の直線偏光Ｏ４は前記第一のエリアＱ１から発される。前記第一の光センサー１５は前記第二のＱ２と対向し、前記第二の光センサー１６は前記第一のエリアＱ１と対向する。
【００４３】
図２と図３に示す実施例では、偏光ビームスプリッタープリズム又は横変位偏光ビームスプリッタープリズムを使用して第二の円偏光Ｏ２を分解して偏光方向が相互に垂直している第二の直線偏光Ｏ３と第三の直線偏光Ｏ４を取得することができる。ここで、環境光Ａ１から取得された第一の直線偏光Ａ３は偏光方向が異なるため、偏光ビームスプリッタープリズム又は横変位偏光ビームスプリッタープリズムでの伝播パスが異なる。要するに、前記第一の直線偏光Ａ３の偏光方向、前記第二の直線偏光Ｏ３の偏光方向が同じであり、いずれも第一の偏光方向であり、前記第三の直線偏光Ｏ４の偏光方向が第二の偏光方向であり、前記第一の偏光方向が前記第二の偏光に相互に垂直している。
【００４４】
図２と図３に示す実施例では、基本的には、分光素子１４の第一の側面Ｓ１から垂直に入射する光だけが光センサー１５、１６に検出されてもいため、分光素子１４はさらに入射光範囲を制限する役割を果たすことができ、これにより分光素子１４は表示パネル１２の同一の表示エリアから発された光Ｏ１を分解し、それぞれ検出することができ、このようにして、表示パネル１２の複数の表示エリアの迷光の影響を回避することができ、さらに表示パネル１２の表示内容の影響を排除し、環境光Ａ１の検出精度を向上させることができる。
【００４５】
当然、実際に応用する時に、分光素子１４は上述した偏光ビームスプリッタープリズム及び横変位偏光ビームスプリッタープリズムに限られなくてもよく、他の分光素子例えば偏光ビームスプリッタープレートを使用することもできる。偏光ビームスプリッタープレートを使用して第二の円偏光Ｏ２に対して分光処理を行う場合、偏光ビームスプリッタープレートは前記第一の位相遅延器１３の前記偏光ビームスプリッタープレートと対向する側面に対して斜めに設置されてもよく、前記第一の直線偏光Ａ３と前記第二の円偏光Ｏ２を前記偏光ビームスプリッタープレートに斜めに入射させ、さらに偏光ビームスプリッタープレートの第二の円偏光０２を分解する機能が実現される。
【００４６】
別の実施例では、端末装置は一つの光センサーの２つの異なるチャネルによって第一の直線偏光Ａ３と前記第二の直線偏光Ｏ３の混合光及び前記第三の直線偏光Ｏ４をそれぞれ検出することもでき、本開示の実施例で提供される方式に限定されない。
【００４７】
一つの実施例では、端末装置はさらに環境光検出回路を含むことができる。該環境光検出回路は、前記少なくとも一つの光センサー１５、１６に受けられた前記環境光Ａ１及び前記表示パネル１２から発された光Ｏ１に基づいて前記環境光Ａ１の強度を取得することができるように、前記少なくとも一つの光センサー１５、１６に電気的に接続される。一つの実施例では、環境光検出回路は前記第二の強度及び前記第二の強度と前記第二の直線偏光Ｏ３の強度の関連関係に応じて前記第三の強度を取得し、そして前記第一の強度と前記第三の強度の差に基づいて前記環境光Ａ１の強度を取得することができる。具体的には、第三の直線偏光Ｏ４の第二の強度と第二の直線偏光Ｏ３の強度が関連関係を有し、ここで、該関連関係が実験により得られてもよいし、理論的に計算して得られてもよく、且つ該関連関係が関数形態で表されてもよい。したがって、第二の強度に基づいて第二の直線偏光Ｏ３の強度を取得することができ、さらに、第一の強度と第二の直線偏光Ｏ３の強度の差に基づいて第一の直線偏光Ａ３の強度を取得することができる。その後、第一の直線偏光Ａ３の強度と環境光Ａ１の強度の関連関係に応じて環境光Ａ１の強度を取得することができる。ここで、第一の直線偏光Ａ３の強度と環境光Ａ１の強度の関連関係が同様に実験により得られてもよく、又は理論的に計算して得られてもよく、且つ該関連関係が関数形態で表されてもよい。このようにして、表示パネルの表示内容の影響を排除し、環境光Ａ１の検出精度を向上させることができる。
【００４８】
別の実施例では、端末装置はさらにシステムオンチップ（ＳＯＣ）を備えることができる。該システムオンチップは、前記少なくとも一つの光センサー１５、１６によって受けられた前記環境光及び前記表示パネルから発された光Ｏ１に基づいて前記環境光Ａ１の強度を取得することができるように、前記少なくとも一つの光センサー１５、１６に電気的に接続される。一つの実施例では、システムオンチップは前記第二の強度及び前記第二の強度と前記第二の直線偏光Ｏ３の第三の強度の関連関係に応じて前記第三の強度を取得し、そして前記第一の強度と前記第三の強度の差に基づいて前記環境光Ａ１の強度を取得することができる。本実施例では、システムオンチップが前記環境光Ａ１の強度を取得する方法は前記環境光検出回路が前記環境光Ａ１の強度を取得する方法と類似するため、ここで説明を省略しない。言い換えば、本実施例では、第一の強度と第二の強度に基づいて前記環境光Ａ１の強度を取得するという機能を端末装置の元のシステムオンチップを使用してソフトウェアにより実現し、余分なハードウェアの追加を回避し、コストを節約することができる。
【００４９】
また、表示パネル１２の上方に設置された円偏光板１１はさらに第一の円偏光Ａ２が表示パネル１２に入射した後の反射光を除去し、表示パネル１２の表示効果への該反射光の影響を回避することができる。具体的には、以下に第一の円偏光Ａ２が右回り円偏光であることを例として説明する。第一の円偏光Ａ２が表示パネル１２に入射した後の反射光が左回り円偏光である場合、該左回り円偏光が第二の位相遅延器１１２に入射した後に第五の直線偏光を取得し、第五の直線偏光の偏光方向が、左回り円偏光が第二の位相遅延器１１２に入射する入射面に平行である。左回り円偏光が第二の位相遅延器１１２に入射する入射面が、環境光Ａ１が偏光子１１１に入射する入射面に相互に平行であるため、第五の直線偏光の偏光方向は第四の直線偏光Ａ４の偏光方向に垂直しており、即ち第五の直線偏光の偏光方向は偏光子１１１の透過方向に垂直している。第五の直線偏光が偏光子１１１に入射する場合、偏光子１１１は第五の直線偏光の通過を許可しない。このようにして、第一の円偏光Ａ２が表示パネル１２に入射した後の反射光が除去される。
【００５０】
一つの実施例では、表示パネル１２はＯＬＥＤ表示パネルであってもよいがこれに限定されない。一つの実施例では、ガラスカバー１７、円偏光板１１と表示パネル１２は統合されてもよい。
【００５１】
説明すべきものとして、本開示の実施例では、上記「下方」は移動端末１００のガラスカバー１７が表示パネル１２に指し示す方向である。本開示の実施例は移動端末１００における表示パネル１２、第一の位相遅延器１３、分光素子１４及び少なくとも一つの光センサー１５、１６以外の部分、例えば筐体１８の具体的な実施形態を限定しない。
【００５２】
当業者は本明細書を考慮してここで開示開示された技術的解決策を実施した後、本開示の実施例の他の実施形態を容易に想到する。本出願は本開示の実施例のいかなる変形、用途又は適応変化をを包含することを意図し、これらの変形、用途又は適応変化が本開示の実施例の一般的な原理に従い且つ本開示の実施例で開示されない本技術分野における公知常識又は慣用技術手段を含む。明細書と実施例が単なる例示とみなし、本開示の実施例の真の範囲及び精神は以下の請求項によって指摘される。
【００５３】
理解すべきものとして、本開示の実施例は以上に説明され且つ図面に示された正確な構造に限定されなく、そしてその範囲から逸脱することなく様々な変更及び変形を行うことができる。本開示の実施例の範囲は添付の特許請求の範囲のみによって限定される。
【産業上の利用可能性】
【００５４】
本開示の実施例による技術的解決策は、移動端末が表示パネル、第一の位相遅延器、分光素子及び少なくとも一つの光センサーを備え、第一の位相遅延器が表示パネルと分光素子の間に位置し、少なくとも一つの光センサーがそれぞれ分光素子と対向して設置され、環境光及び表示パネルから発された光を受けるように構成され、環境光の検出精度を向上させるために、表示パネルを通過する環境光と表示パネルから発された光が第一の位相遅延器と分光素子を順次通過するという有益な効果を含むことができる。
【００５５】
いくつかの本開示の実施例では、表示パネルから発された光を第一の位相遅延器により円偏光に変換し、その後、表示パネルから発された光を表示パネルにより分解して偏光方向が相互に垂直している２本の直線偏光を取得し、ここで、該２本の直線偏光の伝播パスが異なり、このようにして２本の直線偏光をそれぞれ検出することができる。表示パネルを通過する環境光と第一の位相遅延器及び分光素子を順次通過できる環境光は光センサーに受けられる。分光素子が特定の入射角の入射光に対して分光機能を実現することができ、他の入射角の入射光に対して分光機能を実現することができないため、本開示の実施例による技術的解決策は表示パネルの同一の表示エリアから発された光を分解し、それぞれ検出し、表示パネルの表示内容の影響を排除し、環境光の検出精度を向上させることができる。
【図１】
2020527222.tif 000003
【図２】
2020527222.tif 000004
【図３】
2020527222.tif 000005
【国際調査報告】
2020527222.tif 000006
2020527222.tif 000007
2020527222.tif 000008
2020527222.tif 000009